(57)【要約】【課題】着用作業を容易に行うことができ、かつ、着用者の体型等に応じて柔軟な調整をすることができる使い捨てパンツを提供すること。【解決手段】前腹部２は、中前腹部２ｃと、左右の前腹部２ａ，２ｂとに判断される。左前腹部２ａ及び右前腹部２ｂには、中前腹部２ｃの付着部２３に着脱される付着片２２ａ，２２ｂが設けられる。各付着片２２ａ，２２ｂの内面側に付着部２７〜２９が設けられると共に、各付着片２２ａ，２２ｂの外面側に付着部３０が設けられる。一方側の付着片２２ａを付着部２３に付着させた状態で、他方側の付着片２２ｂを、該付着片２２ａ上に重ね合せるようにして、付着部２３及び付着片２２ａに止着することができる。【選択図】図９
2006057209.tif 000002
【特許請求の範囲】
【請求項１】
略環状に連なる前腹部及び後背部と、
その前腹部及び後背部間に連なって設けられる股部と、
前記股部に設けられた吸収体と、を備え、
前記前腹部は、前記股部が連なる部分で、略中央部の中前腹部と、その左右の前腹部とに破断され、
前記中前腹部に第１着脱部が設けられると共に、前記左右の前腹部の端部に付着片がそれぞれ取付けられ、
前記付着片の一方面側に、前記第１着脱部に着脱自在に取付可能な第２着脱部を有すると共に、前記付着片の他方面側に、前記第２着脱部に着脱自在に取付可能な第３着脱部を有する構成とされた、使い捨てパンツ。
【請求項２】
請求項１記載の使い捨てパンツであって、
前記第１着脱部及び前記第２着脱部のうち一方が面ファスナーのフック側部材であり、他方がループ側部材である、使い捨てパンツ。
【請求項３】
請求項１又は請求項２記載の使い捨てパンツであって、
前記第３付着部は、前記第２着脱部に着脱自在な面ファスナーのフック側部材又はループ側部材により構成された、使い捨てパンツ。
【発明の詳細な説明】
【技術分野】
【０００１】
本発明は、パンツやおむつ等として利用される使い捨てパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とするとともに、前身頃及び後身頃の左右の接合部に接合された付着片を設けている。そして、切断線により前身頃を切り離した際に、左右の付着片により前身頃と後身頃との締結を行うようになっている。
【０００３】
【特許文献１】特開平５−３１７３５６号公報
【発明の開示】
【発明が解決しようとする課題】
【０００４】
しかしながら、特許文献１記載のパンツでは、基本的には、着用者の腰部両側部で、左右の付着片の締結作業を行う構成となっている。このように、締結作業を２カ所で分けて行う必要があるため、着用作業が繁雑になるという問題があった。
【０００５】
また、付着片同士を接合できない構成であるため、例えば、腰回り寸法の小さい着用者に合わせて、付着片同士を重ねた状態で締付けるといった着用はできなかった。このため、着用者の体型等に応じた柔軟な着用・調整は難しいという問題があった。
【０００６】
そこで、本発明の課題は、着用作業を容易に行うことができ、かつ、着用者の体型等に応じて柔軟な着用・調整をすることができる使い捨てパンツを提供することである。
【課題を解決するための手段】
【０００７】
この発明は、略環状に連なる前腹部及び後背部と、その前腹部及び後背部間に連なって設けられる股部と、前記股部に設けられた吸収体と、を備え、前記前腹部は、前記股部が連なる部分で、略中央部の中前腹部と、その左右の前腹部とに破断され、前記中前腹部に第１着脱部が設けられると共に、前記左右の前腹部の端部に付着片がそれぞれ取付けられ、前記付着片の一方面側に、前記第１着脱部に着脱自在に取付可能な第２着脱部を有すると共に、前記付着片の他方面側に、前記第２着脱部に着脱自在に取付可能な第３着脱部を有する構成とされたものである。
【０００８】
なお、この場合、前記第１着脱部及び前記第２着脱部のうち一方が面ファスナーのフック側部材であり、他方がループ側部材であるとよい。
【０００９】
また、前記第３付着部は、前記第２着脱部に着脱自在な面ファスナーのフック側部材又はループ側部材により構成されていてもよい。
【発明の効果】
【００１０】
この発明の使い捨てパンツによると、付着片の一方面側に、第１着脱部に着脱自在に取付可能な第２着脱部を有すると共に、付着片の他方面側に、前記第２着脱部に着脱自在に取付可能な第３着脱部を有しているため、左右の付着片を重ね合せるようにして、左右の前腹部を止着することができる。従って、付着片を１カ所で中前腹部に取付けることができ、比較的容易に着用作業を行うことができ、かつ、着用者の体型等に応じて柔軟な着用・調整をすることができる。
【００１１】
この場合、前記第１着脱部及び前記第２着脱部のうち一方が面ファスナーのフック側部材であり、他方がループ側部材であると、付着片を第１付着部に取付ける作業を容易に行え、かつ、微妙な調整作業も容易に行える。
【００１２】
また、前記第３付着部が、前記第２着脱部に着脱自在な面ファスナーのフック側部材又はループ側部材により構成されていると、付着片を重ねた状態でも、比較的容易に着用作業を行うことができ、かつ、着用者の体型等に応じて柔軟な着用・調整をすることができる。
【発明を実施するための最良の形態】
【００１３】
＜概略説明＞
図１ないし図９を参照して、本発明の第１実施形態に係る使い捨てパンツ１について説明する。この使い捨てパンツ１は、図１ないし図８に示すように、略環状に連なる前腹部２及び後背部３と、その前腹部２及び後背部３間に連なって設けられる股部４とを備えて構成され、パンツとしてもおむつとしても利用可能となっている。なお、この使い捨てパンツ１の説明において、左及び右とは着用者から見て左手側及び右手側を指すものとする。
【００１４】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、又はその両方の併用により行われる。
【００１５】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部４ａ及び後股部４ｂが前腹部２及び後背部３に接着剤、例えばホットメルト接着剤により接合されている。なお、変形例として、股部４を前腹部２及び後背部３の一方又は両方と連続した部材により一体に形成してもよい。
【００１６】
このように略環状に連なった前腹部２及び後背部３の上縁部１２，１３によりウエスト開口部Ｑが形成されている。前腹部２の左前腹部２ａの下縁部１４ａ、後背部３の左斜め下の傾斜状の縁部１５ａ、及び股部４の左縁部１６ａにより左脚開口部Ｒａが形成されている。前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００１７】
＜前腹部＞
前腹部２は、図１に示すように、全体形状としては平面視略横長矩形状であり、左前腹部２ａ、右前腹部２ｂ、及びそれらの中間に位置する中前腹部２ｃを備えている。中前腹部２ｃは本発明の中間領域に相当している。左前腹部２ａと中前腹部２ｃとの間には、前腹部２を上下に縦断する左破断部１７ａが形成され、右前腹部２ｂと中前腹部２ｃとの間には、前腹部２を上下に縦断する右破断部１７ｂが形成されている。中前腹部２ｃには、図７に示すように、股部４の前股部４ａとの接合部分１８が形成される。接合部分１８での接合は、接着剤、例えばホットメルト接着剤を用いて行われる。破断部１７ａ，１７ｂは、図２に示すように、ミシン目により形成され、この破断部１７ａ，１７ｂを破断することにより、図３ないし図６に示すように、前腹部２を破断部１７ａ，１７ｂの部分で切り離せるようになっている。これにより、前腹部２が、股部４が連なる部分で、略中央部の中前腹部２ｃと、その左右の前腹部２ａ，２ｂとに破断される。ここで、破断部１７ａ，１７ｂは、図２に示すように直線状に形成してもよいし、必要に応じて曲線状に形成してもよい。
【００１８】
左前腹部２ａ及び右前腹部２ｂの上縁部１２ａ，１２ｂには、ウエスト用弾性部材１９ａ，１９ｂが左右方向に伸張された状態で取り付けられている。左前腹部２ａ及び右前腹部２ｂの下縁部１４ａ，１４ｂには脚用弾性部材２０ａ，２０ｂが左右方向に伸張された状態で取り付けられている。左前腹部２ａ及び右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａ及び右前腹部２ｂ）が着用者の腹部に沿うように柔らかくフィットすることができる。
【００１９】
このような前腹部２は、図７に示すように、肌面側の内層シート５７と、外側の外層シート５８との間に弾性部材１９ａ，１９ｂ，２０ａ，２０ｂ，２１ａ，２１ｂを挟み込んで構成されている。
【００２０】
左前腹部２ａ及び右前腹部２ｂの外面側における中前腹部２ｃ側の端部には、略シート状の左付着片２２ａ及び右付着片２２ｂが接着剤、例えばホットメルト接着剤により接合されている。この付着片２２ａ，２２ｂは、破断部１７ａ，１７ｂを破断した際に、このパンツ１の止着のために用いられるものであり、前腹部２の外面側において、左右の破断部１７ａ，１７ｂを跨ぐように設けられている。中前腹部２ｃの外面側には、付着片２２ａ，２２ｂを付着させるための第１着脱部として付着部２３が設けられている。この付着部２３は、所定の形成領域Ａ１内に連続的に面状に形成されている。この形成領域Ａ１の横幅Ｗ１は、図４に示すように、左右の破断部１７ａ，１７ｂ間の間隔Ｄ（すなわち、中前腹部２ｃの横寸法）以下に設定され、その縦幅Ｗ２は、付着片２２ａ，２２ｂの縦寸法Ｌ１とほぼ等しく設定されている。
【００２１】
付着片２２ａ，２２ｂは、略縦長帯状の本体部２４と、その本体部２４から上下に二股に分かれてその自由端側に向けて延設された２個の張出し部２５，２６とをそれぞれ有している。本体部２４の左右方向外方側端部は、図７に示すように、接着剤６６、例えばホットメルト接着剤により、左前腹部２ａ及び右前腹部２ｂにおける破断部１７ａ，１７ｂ側の端部に接合されている。
【００２２】
付着片２２ａ，２２ｂの各張出し部２５，２６の中前腹部２ｃに面する側の一方面（内面側）には、付着部２７，２８がそれぞれ設けられ、本体部２４の内面側にも付着部２９が設けられている。これらの付着部２７〜２９は、第２着脱部に相当するものであり、中前腹部２ｃに設けられた付着部２３に対して着脱自在に付着するようになっている。
【００２３】
また、付着片２２ａ，２２ｂのうち前記付着部２７〜２９が設けられた面とは反対側の他方面側（外面側）には、第３着脱部として付着部３０が設けられている。ここでは、付着片２２ａ，２２ｂの他方面側において本体部２４の途中から張出し部２５，２６の先端部に至る領域に、付着部３０が設けられている。この付着部３０は、上記付着部２７〜２９を着脱自在に取付可能な構成となっている。
【００２４】
そして、一方側の付着片２２ａ（又は２２ｂ）を、付着部２７〜２９を介して付着部２３に止着した状態で、他方側の付着片２２ｂ（又は２２ａ）を該一方側の付着片２２ａ（又は２２ｂ）の上に重ね合せるようにして止着できるようになっている（図９参照）。
【００２５】
なお、付着部３０の配設領域は、付着片２２ａ，２２ｂの他方面側の全体或は一部であってもよ構わないが、張出し部２５，２６の先端部を含むように配設した方が、後述するように付着片２２ａ，２２ｂ同士を重ね合わてしっかりと固定し易いという利点がある。
【００２６】
付着部２３及び付着部３０の具体例としては、表面に微細なループ構造が密に形成された不織布、織布、編み物等を有するループ側部材が考えられる。また、付着部２７〜２９の具体例としては、そのループ側部材に着脱自在に係合する微細なフック構造が表面に密に形成されたフック側部材が考えられる。
【００２７】
さらに具体的には、付着部２３及び付着部３０としては、例えば、面ファスナーのループ側部材として好適に用いられる不織布、織布等を表面に有するプラスチックフィルム複合材が用いられる。あるいは、ループ側部材を別部材として中前腹部２ｃ又は付着片２２ａ，２２ｂに貼着してこれを付着部２３とするのではなく、中前腹部の外面又は付着片２２ａ，２２ｂの外面自体を、ループ側部材として機能させるようにしてもよい。そのためには、例えば、付着片２２ａ，２２ｂ自体の材料としてループ構造を持つものを選択したり、或は、付着片２２ａ，２２ｂの外面側を毛羽立たせるように表面処理したり、さらに、付着片２２ａ，２２ｂに毛を織込んでループ構造を持たせるように加工等すればよい。
【００２８】
付着部２７〜２９としては、面ファスナーのフック側部材として好適に用いられる表面に密に形成されたピンを有するプラスチックフィルムが用いられる。
【００２９】
また、付着部２３及び付着部３０の他の具体例としては、粘着剤との繰り返し剥離性を有するように表面処理、例えばピーロイル加工されたプラスチックフィルム等が考えられ、付着部２７〜２９の他の具体例としては、繰り返し利用可能な接着剤などが考えられる。
【００３０】
なお、前記の付着部２３及び付着部３０と、付着部２７〜２９の前記２つの具体例において、付着部２３及び付着部３０側の構成と付着部２７〜２９側の構成を入れ替えてもよい。
【００３１】
また、本実施形態では、付着片２２ａ，２２ｂの各張出し部２５，２６の先端部は、付着片２２ａ，２２ｂをつまみやすくするために、つまみ部３１（図４参照）となっている。このつまみ部３１には、付着部２７，２８は設けられていない。
【００３２】
このような構成により、右側の付着片２２ｂの張出し部２５，２６をつまんで付着片２２ｂの付着部２７〜２９を付着部２３から引き剥がし、右方向外方に引っ張ると、図３に示すように、右破断部１７ｂが破れて、右前腹部２ｂが付着片２２ｂと一体となって右側に展開する。同様に、左側の付着片２２ａの張出し部２５，２６をつまんで付着片２２ａの付着部２７〜２９を付着部２３から引き剥がし、左方向外方に引っ張ると、図４に示すように、左破断部１７ａが破れて、左前腹部２ａが付着片２２ａと一体となって左側に展開する。このとき、中前腹部２ｃは股部４と接合された状態に保たれ、前股部４ａの外側に残ることになる。
【００３３】
このため、この使い捨てパンツ１は、図１に示すように、破断部１７ａ，１７ｂを破断する前の製品出荷時の状態では、前腹部２と股部４とが接合部分１８によって固定されているため、パンツとして機能し、付着片２２ａ，２２ｂ等の開閉手段のない通常の使い捨てパンツと同様に容易に上げ下げできるようになっている。また、この状態では、仮に付着片２２ａ，２２ｂと付着部２３との係合が外れても、前腹部２と股部４とが別々になってしまうことがない。
【００３４】
また、この使い捨てパンツ１がパンツ状態で着用させている場合において、後述する吸収体４３が排泄物を吸収、保持した場合には、付着片２２ａ，２２ｂの係合を解除して、破断部１７ａ，１７ｂを破断して展開して、パンツ１を着用者から容易に取り除くことができる。この場合、着用者の衣服を脱がさなくとも、パンツ１の取外しができる。
【００３５】
また、付着片２２ａ，２２ｂの係合を解除して破断部１７ａ，１７ｂを破断し、前腹部２を展開して、パンツ１の内部の汚染状況を確認した後、付着片２２ａ，２２ｂを付着部２３の１箇所に係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００３６】
また、着用させる前に、パンツ１を図５に示す状態に展開しておいて着用者の臀部にあてがって、図４、図３、図１の順に閉じてゆくことにより、このパンツ１を通常の使い捨ておむつのように利用することもできる。この場合、着用者の衣服を脱がさなくとも、パンツ１の着用及び取り外しができる。
【００３７】
また、付着片２２ａ，２２ｂの係合を解除して破断部１７ａ，１７ｂを破断した状態で使用する際に、着用者の腰回り寸法が小さい場合には、図９に示すように、両付着片２２ａ，２２ｂを重ね合せるようにして止着させることができる。すなわち、一方側の付着片２２ａ（又は２２ｂ）を、付着部２７〜２９を介して付着部２３に止着した状態で、他方側の付着片２２ｂ（２２ａ）を、該一方側の付着片２２ａ（又は２２ｂ）の上に重ね合せるようにして、付着部２７〜２９を介して、付着部２３及び付着部３０に止着させることができる。
【００３８】
＜股部＞
股部４は、図５に示すように、全体形状としては展開すると前後方向に延びる略帯状の形態を有し、前股部４ａ、後股部４ｂ、及びそれらの中間に位置する中股部４ｃを備え、主に中股部４ｃを中心として着用者の股間部にあてがわれる。前股部４ａは、図５ないし図７に示すように、中前腹部２ｃの内面側に重ね合わされた状態で接合部分１８によって中前腹部２ｃと接合されている。後股部４ｂは、図５に示すように、後背部３の内面側に重ね合わされた状態で後背部３と接着固定されている。このような股部４の左縁部１６ａ及び右縁部１６ｂには、脚用弾性部材４０ａ，４０ｂが縁部１６ａ，１６ｂの延設方向に伸張された状態で取り付けられている。
【００３９】
股部４は、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００４０】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シート又は透液性不織布シート等の被覆シートで包み、所定形状に成形されたものである。
【００４１】
トップシート４１及びバックシート４２の吸収体４３と重ならない部分は、互いに対向する面同士が接着剤、例えばホットメルト接着剤によって互いに接合されている。より好ましくは、図８に示すように、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００４２】
また、サイドシート４５ａ，４５ｂの前後方向の両端縁は、股部４の前後方向の両端縁に接着剤６０、例えばホットメルト接着剤により接合されている。サイドシート４５ａ，４５ｂの左右方向内方側縁部は、前後方向に伸びる弾性部材４６を包み込むようにして、封止部４７にて熱溶着（又は超音波溶着）等により固定されている。起立部４４ａ，４４ｂは、弾性部材４６の収縮力によりその左右方向内方側縁部が縮められ、これによって図８に示すように着用者の肌に押し付けられる方向に起立する。
【００４３】
また、本実施形態では、図５に示すように、股部４における前腹部２及び後背部３の腰回り部３ａと重なる重複部分において、左右の縁部を傾斜辺４８ａ，４８ｂ，４９ａ，４９ｂとし、その横幅を前後方向の端縁側に向けて徐々に減少させている。
【００４４】
この傾斜辺４８ａ，４８ｂにより、使い捨てパンツ１を上げ下げする際に、前股部２ａが引っ掛かってめくれたり、折れ曲がったり、着用者の肌に影響を及ぼすのを防止し、スムーズに上げ下げすることができる。
【００４５】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００４６】
なお、股部４の構成の変形例として、吸収体４３をシート４１，４２の間に挟み込むのではなく、吸収体４３をシート４２の肌面側に貼着し、シート４１を省略する構成としてもよい。あるいは、吸収体４３の前後の端部にシートを接合したものを股部４として用いるようにしてもよく、大型の吸収体４３を用いてその吸収体４３を股部４として用い、シート４１，４２を省略するようにしてもよい。
【００４７】
＜後背部＞
後背部３は、図３ないし図６に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００４８】
特に、後背部３の臀部３ｂは、下側に向けて横幅が徐々に狭くなる構成とされているとともに、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００４９】
なお、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分５４（図６参照）について、弱化処理が施されている。弱化処理とは、その部分５４の弾性部材を切断したり、収縮力を弱める処理を行う等により、ノーテンション状態とすることである。これによって、脚用弾性部材５３ａ，５３ｂの収縮力によって吸収体４３に不所望な歪み等が生じ、その吸収機能が低下するのが防止される。
【００５０】
＜その他の構成及び各部の材料等＞
なお、前腹部２に設ける左右の弾性部材１９ａ，１９ｂ、弾性部材２０ａ，２０ｂ及び弾性部材２１ａ，２１ｂについては、前記脚用弾性部材５３ａ，５３ｂの場合と同様に、弾性部材２０ａ，２０ｂ，２１ａ，２１ｂを中前腹部２ｃを介して左右方向に連続的に前腹部２に設けた後、弾性部材２０ａ，２０ｂ，２１ａ，２１ｂの中前腹部２ｃに位置する部分について、弱化処理を施すのが好ましい。
【００５１】
また、付着片２２ａ，２２ｂの材料構成としては、不織布、織布、編布、プラスチップ材から適宜選択できる。中でも、スパンボンド法、エアースルー法、ポイントボンド法、メルトブロー法及びエアレイド法のうちの１つ又は複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００５２】
また、弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００５３】
以上のように、本実施形態に係る使い捨てパンツ１は、付着片２２ａ，２２ｂの内面側に付着部２３に着脱自在な付着部２７〜２９を有すると共に、付着片２２ａ，２２ｂの外面側に付着部２７〜２９に着脱自在な付着部３０を有しているため、左右の付着片２２ａ，２２ｂを重ね合せるようにして、左右の前腹部２ａ，２ｂを止着することができる。従って、付着片２２ａ，２２ｂを１カ所で中前腹部２ｃに取付けることができ、比較的容易に着用作業を行うことができる。しかも、付着片２２ａ，２２ｂ同士を重ねるようにして、着用者の体型等に応じて（特に細身の体型に応じて）柔軟な着用・調整をすることができる。
【００５４】
また、付着部２３及び付着部３０と付着部２７〜２９とのうち一方を面ファスナーのフック側部材とし、他方をループ側部材として構成することで、付着片２２ａ，２２ｂの止着位置、姿勢に関する自由度に優れる。従って、付着片２２ａ，２２ｂの止着作業を容易に行える。また、付着片２２ａ，２２ｂの止着位置、姿勢を調整することで、胴回りや脚周りで適度な締付け度合等となるように、微妙な調整も容易に行うことができる。
【図面の簡単な説明】
【００５５】
【図１】本発明の第１実施形態に係る使い捨てパンツの正面図である。
【図２】図１の使い捨てパンツの右付着片を破断した図である。
【図３】図１の使い捨てパンツの右破断部を破断して右前腹部を展開した状態を示す図である。
【図４】図３の使い捨てパンツの左破断部を破断して左前腹部を展開した状態を示す図である。
【図５】図４の使い捨てパンツの股部を展開した状態を示す図である。
【図６】図５の使い捨てパンツを図５の反対側から見た図である。
【図７】図１の使い捨てパンツのＣ１−Ｃ１線に沿った部分の断面図である。
【図８】図５の使い捨てパンツのＣ２−Ｃ２線に沿った部分の断面図である。
【図９】付着片を重ね合せた状態で左右の前腹部を止着した状態を示す図である。
【符号の説明】
【００５６】
１  使い捨てパンツ、２  前腹部、２ａ  左前腹部、２ｂ  右前腹部、２ｃ  中前腹部、３  後背部、４  股部、４ａ  前股部、４ｂ  後股部、４ｃ  中股部、２２ａ，２２ｂ  付着片、２３  付着部、２７〜２９  付着部、３０  付着部、４３  吸収体
【図１】
2006057209.tif 000003
【図２】
2006057209.tif 000004
【図３】
2006057209.tif 000005
【図４】
2006057209.tif 000006
【図５】
2006057209.tif 000007
【図６】
2006057209.tif 000008
【図７】
2006057209.tif 000009
【図８】
2006057209.tif 000010
【図９】
2006057209.tif 000011